(57)【特許請求の範囲】
【請求項１】
二次電池を加熱する加熱処理槽と、
加熱された二次電池から放出される加熱分解生成物を冷却する冷却装置と、
前記冷却された加熱分解生成物が流れる第１流路及び前記第１流路から分岐された第２流路と、
前記第１流路の排出側に設置され、前記加熱分解生成物を貯留するタンクと、
前記第２流路の排出側に設置され、前記加熱分解生成物を浄化する浄化装置と、を備え、
前記第２流路の分岐位置と前記タンクの間の前記第１流路には、液体を保持する保持部が設けられ、前記保持部では、前記液体により第１流路が塞がれ、
前記第１流路には、前記液体より比重の軽い加熱分解生成物を前記保持部に保持された前記液体の液面から引き抜く第３流路、及び前記加熱分解生成物の固形分を前記保持部に保持された前記液体の底面から引き抜く第４流路が設けられていることを特徴とする二次電池のリサイクル処理装置。
【請求項２】
前記第１流路に設けられる保持部はＵ字状の流路形状であることを特徴とする請求項１記載の二次電池のリサイクル処理装置。
【発明の詳細な説明】
【技術分野】
【０００１】
本発明は、二次電池のリサイクル処理装置の技術に関する。
【背景技術】
【０００２】
リチウムイオン二次電池やニッケル水素二次電池等の二次電池は、例えば、ハイブリッド車等の車両用部品として使用されている場合、車両が廃車等になった際には、二次電池が車両から取り外された後、解体され、有用な金属が回収される。
【０００３】
一般的に、自動車用部品として使用される二次電池は、高電圧を発生（例えば、３００Ｖ以上）するものであり、車両が廃車となって取り外される際にも、高電圧を保っている場合が多い。通常、二次電池を解体する作業は、作業者が絶縁手袋等の保護具を着用して、手作業で行われるため、作業の安全性確保に十分な配慮が必要である。
【０００４】
また、二次電池の解体作業等の安全性を高めるために、二次電池を放電させることも考えられるが、この場合、二次電池を長期間保管して自然放電させるか、または抵抗器等を用いて強制的に放電させる必要があり、二次電池のリサイクル処理の作業が長時間化するか若しくは手間を要するため、リサイクル処理の作業を効率的に行うことができない。
【０００５】
従来から、二次電池から有価物を回収する様々な方法が提案され（例えば、特許文献１〜３参照）、リサイクル処理の作業効率化が図られている。
【先行技術文献】
【特許文献】
【０００６】
【特許文献１】特開２００５−２６０８８号公報
【特許文献２】特開２０１０−３５１２号公報
【特許文献３】特開２０１０−１６５５６９号公報
【発明の概要】
【発明が解決しようとする課題】
【０００７】
ところで、特許文献１〜３のリサイクル処理方法では、二次電池を加熱処理するため、加熱処理の際には、加熱分解生成物のガスが排出される。加熱分解生成物は、液化して廃液としてタンクにより回収し、液化しなかったガスは廃ガスとして浄化装置により浄化することが望ましい。しかし、従来では、廃液、廃ガスの分別まで考慮されておらず、廃液の一部が浄化装置に流れ、廃ガスがタンクに流れ込む場合があり、廃液、廃ガスを効率的に回収、浄化することが困難となっていた。
【０００８】
そこで、本発明は、加熱処理の際に排出される加熱分解生成物を廃液、廃ガスとして効率的に回収することができる二次電池のリサイクル処理装置を提供することを目的とする。
【課題を解決するための手段】
【０００９】
本発明の二次電池のリサイクル処理装置は、二次電池を加熱する加熱処理槽と、加熱された二次電池から放出される加熱分解生成物を冷却する冷却部と、前記冷却された加熱分解生成物が流れる第１流路及び前記第１流路から分岐された第２流路と、前記第１流路の排出側に設置され、前記加熱分解生成物を貯留するタンクと、前記第２流路の排出側に設置され、前記加熱分解生成物を浄化する浄化装置と、を備え、前記第２流路の分岐位置と前記タンクの間の前記第１流路には、液体を保持する保持部が設けられ、前記保持部では、前記液体により第１流路が塞がれ、前記第１流路には、前記液体より比重の軽い加熱分解生成物を前記保持部に保持された前記液体の液面から引き抜く第３流路、及び前記加熱分解生成物の固形分を前記保持部に保持された前記液体の底面から引き抜く第４流路が設けられている。
【００１０】
また、前記二次電池のリサイクル処理装置において、前記第１流路に設けられる保持部はＵ字状の流路形状となっていることが好ましい。
【発明の効果】
【００１１】
本発明によれば、加熱処理の際に排出される加熱分解生成物を廃液、廃ガスとして効率的に回収することができる。
【図面の簡単な説明】
【００１２】
【図１】本実施形態に係る二次電池のリサイクル処理装置の構成の一例を示す模式図である。
【図２】本実施形態に係る二次電池のリサイクル処理装置の構成の他の一例を示す模式図である。
【図３】電池パックの解体及び有価物の回収工程を説明するためのフロー図である。
【発明を実施するための形態】
【００１３】
以下、電池パックをリサイクルする方法及び処理装置の一例を図面に基づいて説明する。ここで、「二次電池」なる用語は、ニッケル水素二次電池やリチウムイオン二次電池等の電池単体として電池セルに限定されるものではなく、電池セルを複数（例えば６個か８個程度）直列に接続して１つの部品単位とした電池モジュール、又は該電池モジュールを複数直列に接続して構成された組電池、又は該組電池と、電池モジュールの充電状態を監視制御する制御装置や電気回路を切断するためのリレーや機械的に回路を切断するためのセーフティプラグや組電池を冷却する冷却ブロア等の電子部品と、各部品を接続する信号線や動力線と、これらを密閉収納するケース等から構成される電池パック等も含まれる。
【００１４】
図１は、本実施形態に係る二次電池のリサイクル処理装置の構成の一例を示す模式図である。図１に示すリサイクル処理装置１は、加熱処理槽１２、置換ガス供給装置１４、冷却装置１８、廃液タンク２０、浄化装置２４、配管２２ａ，２２ｂ，２２ｃ，２２ｄを備える。図１において、配管２２ｃ，２２ｄ及び浄化装置２４については、断面図で表している。
【００１５】
加熱処理槽１２は、主に、二次電池１０を加熱処理するためのものであり、本実施形態の加熱処理槽１２内には電気ヒータ２６、二次電池１０を載置する載置台２８、を備える。二次電池１０を加熱する熱源としては電気ヒータ２６に制限されるものではなく、ラジアントチューブ等の間接加熱型のガスヒータ等でもよい。
【００１６】
置換ガス供給装置１４は、例えば、水蒸気（以下、単に蒸気と呼ぶ）を発生させる貫流ボイラー等の蒸気ボイラー、不活性ガスを充填したガスボンベ等が挙げられる。
【００１７】
冷却装置１８は、主に二次電池１０から放出された加熱分解生成物等を冷却するためのものであり、例えば、シェルアンドチューブタイプ等の間接式水冷型熱交換器、プレートフィンタイプ等の表面式熱交換器等が挙げられる。
【００１８】
廃液タンク２０は、主に冷却装置１８により冷却され、凝縮・液化した加熱分解生成物を貯留するためのものである。また、浄化装置２４は、主に冷却装置１８により凝縮されなかったガス状の加熱分解生成物を浄化するためのものである。
【００１９】
配管２２ａの一端は置換ガス供給装置１４に接続され、配管２２ａの他端は加熱処理槽１２の供給管１２ａに接続されている。配管２２ｂの一端は、加熱処理槽１２の排出管１２ｂに接続され、配管２２ｂの他端は冷却装置１８の供給口（不図示）に接続されている。配管（第１流路）２２ｃの一端は冷却装置１８の排出口（不図示）に接続され、配管２２ｃの他端は、廃液タンク２０の廃液入口（不図示）に接続されている。配管２２ｄ（第２流路）の一端は、後述する保持部３０より、加熱分解生成物の流れの上流側（以下、単に上流側と呼ぶ場合がある）の配管２２ｃに接続され、配管２２ｄの他端は、浄化装置２４の供給口（不図示）に接続されている。
【００２０】
配管２２ｃには、液体を保持する保持部３０が設けられている。保持部３０は、配管２２ｄより加熱分解生成物の流れの下流側（以下、単に下流側と呼ぶ場合がある）の配管２２ｃに配置、すなわち、配管２２ｄの分岐位置と廃液タンク２０との間の配管２２ｃに配置されている。本実施形態の保持部３０は、Ｕ字状の流路形状となっており、このＵ字部分に液体３０ａが溜められ、保持部３０において配管２２ｃの流路が塞がれている。本実施形態では、Ｕ字状の保持部３０より下流側の配管２２ｃは、後述するように保持部３０から越流した液体３０ａが廃液タンク２０に流れるようにＵ字状に折り返された形状になっている。また、本実施形態では、保持部３０に溜められた液体３０ａの液面及び底面から液体３０ａを引き抜くための配管２２ｅ，２２ｆが配管２２ｃに接続されている。
【００２１】
次に、本実施形態に係る処理装置１の動作を説明する。
【００２２】
まず、加熱処理槽１２の開閉扉１２ｃを開け、二次電池１０を槽内の載置台２８にセットし、開閉扉１２ｃを閉めて密閉し、電気ヒータ２６のスイッチを入れ、二次電池１０を加熱する。なお、加熱処理槽１２内の温度制御は、槽内に温度センサ（不図示）等を設置して、槽内の温度を検出し、検出した温度に基づいて電気ヒータ２６の出力を調節することにより行われる。
【００２３】
加熱処理槽１２内で二次電池１０を加熱し、二次電池１０の温度が、二次電池１０を構成する電池セル内の電解液の沸点以上に達すると、電池セル内部の圧力が上昇して、電池セルに設けられる安全弁等から電解液等の加熱分解生成物がガスとして放出され、電圧が変動し始める。そして、さらに加熱を続けると、電圧がゼロになり電池機能が破壊される。例えば、有機系電解液を使用するリチウムイオン二次電池及び水系電解液を使用するニッケル水素二次電池では、１５０℃以上で加熱することにより、二次電池１０の電池機能を破壊し電圧をゼロにすることが可能となる。このような加熱処理後の二次電池１０は電圧ゼロのスクラップとして安全に取り扱うことができるため、後工程である二次電池１０の解体等を安全に容易に実施することも可能となる。
【００２４】
本実施形態の加熱処理においては、図１に示すように、置換ガス供給装置１４から配管２２ａを介して水蒸気又は不活性ガス等の置換ガスを加熱処理槽１２内に供給して、加熱処理槽１２内空間を水蒸気又は不活性ガス等の置換ガスにより置換し、無酸素状態にすることが好ましい。例えば、リチウムイオン二次電池に使用される電解液のうち、炭酸ジメチル等の有機電解質は可燃性材料であるが、加熱処理槽１２内を置換ガスにより置換し、無酸素状態にすることにより、加熱処理によって有機電解質が二次電池１０外へ放出されたとしても、加熱処理槽１２内で燃焼することが抑制され、加熱処理槽１２内から排出される。特に、加熱処理においては、蒸気を供給することが好ましい。例えば、リチウムイオン二次電池の電解液に使用される６フッ化リン酸リチウム等の電解質塩は、加熱処理によって、加熱分解してフッ化リチウムやフッ化水素等に変化するが、蒸気を加熱処理槽１２内に供給することにより、フッ化水素（ガス）をフッ酸として容易に回収することができる。
【００２５】
次に、加熱処理により二次電池１０から放出されるガス状の加熱分解生成物は、配管２２ｂを通り冷却装置１８に供給される。二次電池１０から放出される加熱分解生成物には、二次電池１０を構成する電解液、セパレータ等の樹脂等が挙げられる。例えば、リチウムイオン二次電池の場合には、炭酸ジメチル（ＤＭＣ）、炭酸エチルメチル（ＥＭＣ）、炭酸エチレン（ＥＣ）、フッ化水素、フッ化リチウム等の電解液由来の加熱分解生成物、ポリエチレン（ＰＥ）、ポリプロピレン（ＰＰ）等を材料とするセパレータ等の樹脂由来の加熱分解生成物等がガスとなって放出される。また、炭酸ジメチル（ＤＭＣ）、炭酸エチルメチル（ＥＭＣ）、炭酸エチレン（ＥＣ）、ポリエチレン（ＰＥ）、ポリプロピレン（ＰＰ）等が放出されると、それらの構成元素であるＨ、Ｃ、Ｏ等から、水素（Ｈ２）、一酸化炭素（ＣＯ）、二酸化炭素（ＣＯ２）等のガスも生成されるが、本明細書ではこれらも加熱分解生成物と呼ぶ。
【００２６】
これらの加熱分解生成物が冷却装置１８に供給されると、加熱分解生成物が冷却され液化される。そして、冷却装置１８から液化した加熱分解生成物が排出されると共に、冷却装置１８で液化（凝縮）しなかったガス状の加熱分解生成物も排出される。なお、液化した加熱分解生成物は、例えば、リチウムイオン二次電池の場合には、炭酸ジメチル（ＤＭＣ）、炭酸エチルメチル（ＥＭＣ）、炭酸エチレン（ＥＣ）、フッ化水素、フッ化リチウム等の電解液である。また、凝縮しなかったガス状の加熱分解生成物は、水素（Ｈ２）、一酸化炭素（ＣＯ）、二酸化炭素（ＣＯ２）等であるが、凝縮できなかった上記の電解液も含まれる場合がある。
【００２７】
液化した加熱分解生成物は配管２２ｃを通り、保持部３０に溜められる。一方、ガス状の加熱分解生成物は、保持部３０内の液体３０ａによって、保持部３０より下流側の配管２２ｃには流れず、配管２２ｃから分岐した配管２２ｄを通って、浄化装置２４に供給され、そこで浄化される。浄化装置としては、例えば、活性炭等を充填したガス吸着フィルター等が用いられ、ガス状の加熱分解生成物が活性炭に吸着され、系外にガス状の加熱分解生成物が洩れることが抑制される。ガス状の加熱分解生成物が酸性雰囲気の場合には、本実施形態の浄化装置２４のように、活性炭２４ａの前段に消石灰（水酸化カルシウム）２４ｂを充填したガス吸着フィルター等を用いることが好ましい。このような浄化装置２４によれば、酸性雰囲気のガス状の加熱分解生成物を中和した上で、加熱分解生成物を活性炭に吸着させることができる。
【００２８】
液化した加熱分解生成物が保持部３０に溜められていくと、比重の重い液化した加熱分解生成物は、保持部３０の下流側に流れ、越流口３１から溢れて、配管２２ｃを介して廃液タンク２０に供給され、廃液として回収される。また、比重の軽い液化した加熱分解生成物があれば、保持部３０の上流側に留まるため、配管２２ｅから排出させる。また、加熱分解生成物の中に固形分が含まれており、配管２２ｃを通過し、保持部３０に溜められた場合には、配管２２ｆから排出させる。なお、装置の稼働前に保持部に充填される液体は特に制限されるものではないが、水等の揮発性の低い液体であることが好ましい。
【００２９】
廃液タンク２０には、通気管３２及び活性炭等を充填したガス吸着フィルター３４等を設置することが好ましい。廃液タンク２０内に廃液が溜まっていくと、廃液タンク２０内の圧力が大気圧より高くなる場合がある。そして、廃液タンク２０内の圧力が大気圧より高くなった場合には、廃液タンク２０に設置された通気管３２からガスを大気中へ排出させる。この際、ガスは、ガス吸着フィルター３４を介して大気中へ排出されるため、臭気等が装置外部に洩れることが抑制される。
【００３０】
このように、上記説明した保持部３０を配管２２ｃに設置することにより、液化した加熱分解生成物は廃液タンク２０へ、液化しなかったガス状の加熱分解生成物は浄化装置２４へ送られるため、廃液、廃ガスを分別し、効率的に回収することができる。
【００３１】
従来では、液化した加熱分解生成物と共に、液化しなかったガス状の加熱分解生成物も廃液タンクに流れ込むため、廃液タンク内に溜まるガス状の加熱分解生成物は廃液タンクに設置したガス吸着フィルターにより浄化していた。したがって、従来では、廃液タンクの容積は、ガス状の加熱分解生成物が流れ込むことを想定して、大型化する必要があった。しかし、本実施形態では、液化した加熱分解生成物は廃液タンク２０へ、ガス状の加熱分解生成物は浄化装置２４へ分配され、廃液タンク２０にガス状の加熱分解生成物が流れ込み難いため、廃液タンク２０の容積をコンパクトにすることが可能となる。また、水素ガス等の可燃性ガスも、廃液タンク２０に溜めることなく、浄化装置２４により直接浄化させることができる。
【００３２】
図２は、本実施形態に係る二次電池のリサイクル処理装置の構成の他の一例を示す模式図である。図２に示す二次電池のリサイクル処理装置２において、図１に示すリサイクル処理装置１と同様の構成については同一の符号を付しその説明を省略する。図２の二次電池のリサイクル処理装置２の保持部は液体を溜める貯留部３６とバルブ３８とを備えるものである。
【００３３】
装置の稼働前に、配管２２ｅ等から貯留部３６に液体３０ａが充填され、保持部（実質的には貯留部３６）において配管２２ｃの流路が液体により塞がれる。この際、貯留部３６内の空間の全部又は一部が液体３０ａにより満たされる。装置の稼働後、前述したように、冷却装置１８により液化した加熱分解生成物は配管２２ｃを通り、保持部の貯留部３６に溜められ、ガス状の加熱分解生成物は、貯留部３６内の液体によって、保持部より下流側の配管２２ｃには流れず、配管２２ｃから分岐した配管２２ｄを通り、浄化装置２４に供給され、浄化される。
【００３４】
一方、液化した加熱分解生成物は保持部の貯留部３６に溜められる。そして、装置稼働後から所定時間経過した後、或いは貯留部３６の液面が所定水位を超えた段階で、バルブ３８を開き、配管２２ｃを介して貯留部３６内の液体３０ａの一部を廃液タンク２０に供給する。なお、貯留部３６内の液体３０ａを完全に排出させてしまうと、ガス状の加熱分解生成物も廃液タンク２０に流れ込んでしまうため、一定量の液体３０ａは貯留部３６に残しておく必要がある。
【００３５】
保持部の構造は、配管２２ｃ内に液体を保持して、配管２２ｃ内の流路を液体により塞ぐことができる構造であれば、図１及び２に示す保持部の構造に限定されるものではないが、装置構成の簡略化、小型化、運転管理の容易化等の観点から、保持部は図１に示すＵ字状の配管構造として、その中に液体を充填して（保持して）、配管２２ｃの流路を塞ぐことが好ましい。
【００３６】
以上のような加熱処理によって、電池機能が破壊され、電解液が放出された二次電池は、二次電池の解体及び有価物の回収工程に搬送される。特に、電池セルと共に電子部品、信号線、動力線、ケース等から構成されている電池パックの場合でも、電池機能は破壊され、また電解液が放出されるため、後述するように、電池パックの解体から有価物の回収までの全行程を、作業者による危険な手作業（電池パックの解体作業）を不要とし、自動化することができる。その結果、安全で安価な二次電池のリサイクルが可能となる。
【００３７】
図３は、電池パックの解体及び有価物の回収工程を説明するためのフロー図である。ここでは、リチウムイオン二次電池の電池パックを例に説明するが、ニッケル水素二次電池の電池パック等でも同様に適用することが可能である。また、以下に説明する有価物の回収工程は、主に、リチウムイオン二次電池の集電体として使用される電極箔（Ａｌ，Ｃｕ）、正極材料として使用される遷移金属（Ｎｉ，Ｍｎ，Ｃｏ等）、正極材料中及び負極材料中に存在するリチウムを回収するものである。また、図３に示すフローは電池パックの解体及び有価物の回収工程の一例であって、これに制限されるものではない。
【００３８】
図３に示すように、ステップＳ１０では、前述した加熱処理を実施した電池パックを破砕処理する。なお、電池パックを加熱処理すると、電池パックの構成材料である熱可塑性樹脂が熱分解して、原型とは大きく異なった状態となるが、電池セルの電解液等は外部に放出され電池機能は破壊された安全な状態であるため、破砕処理においては、作業者による手解体より、シュレッダーマシン（大型ハンマーミル等）に電池パックを直接投入して破砕処理する方が、処理時間、安全性の点で好ましい。また、シュレッダーマシン等で電池パックを破砕する前に、電池パックを水中に浸漬させ、電池セルを放電させる等の処理を行ってもよい。なお、このシュレッダーマシン等は廃自動車や廃家電製品の処理において一般的に使用されるものを用いることができる。
【００３９】
シュレッダーマシンを用いて電池パックを破砕処理することにより、樹脂等の無価物はシュレッダーダストとして排出される。一方、電池パック内の電池セルのうち、電池セルの外装であるアルミケース等は、比重の大きな金属片となり、電極箔（正極材料及び負極材料も含む）等は、比重の小さな金属屑となる。シュレッダーダストは廃棄法にしたがって管理型埋め立て処分する。また、埋め立てる条件としては、管理型埋め立て基準を満たす必要がある。
【００４０】
次に、ステップＳ１２では、前述した比重の大きな金属片と比重の小さな金属屑とを、風力選別し、比重の大きな金属片を回収する。なお、風力選別に代えて、磁力選別により比重の大きな金属片を回収してもよい。
【００４１】
次に、ステップＳ１４では、電極箔（正極材料及び負極材料も含む）等の比重の小さな金属屑を水で洗浄して、負極材料中のリチウムや正極材料中のリチウムを水酸化リチウムに、正極材料中の遷移金属を水酸化物に変化させる。以下に、正極材料としてニッケル酸リチウムを用いた場合の反応を示す。
３ＬｉＮｉＯ２＋４．５Ｈ２Ｏ→３ＬｉＯＨ＋３Ｎｉ（ＯＨ）２＋４／３Ｏ２
【００４２】
水酸化リチウムは水に容易に溶解するため水溶液となり、水酸化ニッケル等の遷移金属の水酸化物は水への溶解度が非常に低いためほとんど溶解せず、固形分となる。なお、水酸化ニッケルの溶解度は０．００１３ｇ／１００ｃｍ３である。
【００４３】
次に、ステップＳ１６では、振動篩装置等によって、前述した水酸化リチウム等の水溶液と水酸化ニッケル等の固形分とに篩い分けられる。そして、ステップＳ１８では、水酸化リチウム水溶液に炭酸ガスを導入して中和し、炭酸リチウムとし、この炭酸リチウムを沈殿ろ過して回収する。
【００４４】
ステップＳ２０では、水酸化ニッケル等の遷移金属の水酸化物等の固形分を浸出槽に投入し、塩酸等の酸を添加して、遷移金属の水酸化物を水溶性の金属塩化物に変化させる。ニッケル塩化物等の金属塩化物溶液を抽出し、後述するステップＳ３０に進み、既存の精錬工程によって、例えば、ニッケル原料として、金属や硫酸ニッケル等の製品にリサイクルされる。
【００４５】
また、塩酸を添加した場合（ステップＳ２０）、浸出槽では、未反応の水酸化ニッケル等の金属水酸化物（正極材料）、セパレータ、アルミ（電極箔）は浮上し、負極材料（カーボン）及び銅（電極箔）は沈降するため、これらを分離することができる。なお、以下では、浸出槽に浮上した浮上物を浮上分電極材と称し、浸出槽に沈降した沈降物を沈降分電極材と称する。なお、ステップＳ２０において、塩酸の代わりに硫酸を添加すると、未反応の水酸化ニッケル等の金属水酸化物、セパレータ、アルミ（電極箔）、負極材料（カーボン）及び銅（電極箔）は全て沈降してしまう。塩酸を添加することによって浮上分電極材と沈降分電極材に分離させることができる理由としては、銅とアルミの比重差に加え、塩酸を添加した場合には、アルミを腐食する過程で発生する水素ガスの発生速度が硫酸を添加した場合に比べて大きいため、アルミの見かけ上の比重が１より低くなるためであると考えられる。したがって、その後に行う銅の回収において、銅の純度を上げてリサイクル材としての付加価値を高くすることができる点で、塩酸を添加することが好ましい。なお、硫酸を添加した場合でも、その後の工程において、Ｎｉ等の有価金属の回収を行うことはできる。
【００４６】
次に、ステップＳ２２では、浸出槽から分離した浮上分電極材を洗浄槽に投入し、塩酸を添加して攪拌洗浄する。これにより、アルミやセパレータに付着していた水酸化ニッケル等の遷移金属の水酸化物を水溶性の金属塩化物に変化させる。そして、ステップＳ２４では、振動篩装置等によって、アルミやセパレータ等の固形分とニッケル塩化物等の金属塩化物溶液とに篩い分けられる。篩い分けられたアルミやセパレータはリサイクル材として回収してもよいし、廃棄処分してもよい。一方、ニッケル塩化物等の金属塩化物溶液は、ステップＳ３０に進み、既存の精錬工程により精錬され、例えば、ニッケル原料として、金属や硫酸ニッケル等の製品にリサイクルされる。
【００４７】
ステップＳ２６では、浸出槽から分離した沈降分電極材を、上記同様に洗浄槽に投入し、塩酸を添加して攪拌洗浄する。これにより、銅に付着していた水酸化ニッケル等の遷移金属の水酸化物を水溶性の金属塩化物に変化させる。そして、ステップＳ２８では、振動篩装置等によって、銅等の固形分とニッケル塩化物等の金属塩化物溶液とに篩い分けられる。篩い分けられた銅はリサイクル材として回収される。一方、ニッケル塩化物等の金属塩化物溶液は、上記同様に、ステップＳ３０に進み、既存の精錬工程により精錬され、例えば、ニッケル原料として、金属や硫酸ニッケル等の製品にリサイクルされる。
【符号の説明】
【００４８】
１，２  リサイクル処理装置、１０  二次電池、１２  加熱処理槽、１２ａ  供給管、１２ｂ  排出管、１２ｃ  開閉扉、１４  置換ガス供給装置、１８  冷却装置、２０  廃液タンク、２２ａ〜２２ｆ  配管、２４  浄化装置、２４ａ  活性炭、２４ｂ  消石灰、２６  電気ヒータ、２８  載置台、３０  保持部、３０ａ  液体、３１  越流口、３２  通気管、３４  ガス吸着フィルター、３６  貯留部、３８  バルブ。
【図１】
0005790553.tif 000002
【図２】
0005790553.tif 000003
【図３】
0005790553.tif 000004